(57)【要約】【課題】  備わる複数の液晶表示器の個々の特性に対応して色補正を行える。【解決手段】  画像処理プロセッサ１から送られた各画像［１］〜［４］が結合された画像データは、制御信号ＣＳの元で、画像分割処理部２の受信処理部２１により受信される。一方、パーソナルコンピュータ４に入力された色補正指示情報も、制御信号ＣＳを介して画像分割処理部２に入力される。画像分割処理部２に入力された色補正指示情報ＣＣは、各色補正処理部２４−１〜２４−４に対して入力される。そこで、拡大処理部２３−１〜２３−４において必要に応じて拡大処理された各画像データは、色補正処理部２４−１〜２４−４において、色補正指示情報ＣＣに応じて補正される。そして、色補正処理部２４−１〜２４−４において色補正指示情報ＣＣに応じて補正された各画像データは、液晶表示器３−１〜３−４に送られた各画像［１］〜［４］として表示される。【選択図】  図１
2015028570.tif 000002
【特許請求の範囲】
【請求項１】
ｎ個の表示器と、
そのｎ個の表示器のそれぞれに並列的に表示されるべきｎ個の画像を結合して送信する画像処理プロセッサと、
その画像処理プロセッサから送信された画像データを受信し、前記ｎ個の表示器に対応する各画像に分割して各表示器に送る画像分割処理部と、
を備える画像表示処理装置であって、
前記画像分割処理部は、分割して得られた各画像に対して、各表示器の特性に対応して色補正を行うｎ個の色補正処理部を有することを特徴とする画像表示処理装置。
【請求項２】
前記ｎ個の色補正処理部の前段に、分割して得られた各画像に対して拡大処理を行うｎ個の拡大処理部を有することを特徴とする請求項１に記載の画像表示処理装置。
【請求項３】
前記ｎ個の色補正処理部に対する色補正指示情報が、前記画像処理プロセッサと前記画像分割処理部の間でやりとりされる制御信号を介して前記画像分割処理部に入力されることを特徴とする請求項１又は２に記載の画像表示処理装置。
【請求項４】
前記色補正指示情報は、パーソナルコンピュータ４を介して前記画像分割処理部に入力されることを特徴とする請求項３に記載の画像表示処理装置。
【請求項５】
前記画像は、動画像であることを特徴とする請求項１乃至４のいずれかに記載の画像表示処理装置。
【発明の詳細な説明】
【技術分野】
【０００１】
本発明は、画像表示処理装置に関し、特に、複数の画像を対応する複数の表示器に並列表示するような画像表示処理装置に関する。
【背景技術】
【０００２】
昨今のゲーム機やパチンコ機等の遊技機においては、複数の表示器（典型的には、液晶表示器）が備わり、それらの表示器に、とりわけ相互に連係する動画像を同時並列的に表示することがよく行われるようになってきている。かかる構成や機能を有する画像表示制御においては、無論、複数の表示器のそれぞれに対応した表示処理制御部（典型的には画像処理専用プロセッサ）及び表示指令制御部（典型的にはＣＰＵ）等を備え、最上段の表示指令制御部間で相互に同期・連係等をとりながら全並列的に処理することで並列画像表示を実現することも可能である。
【０００３】
しかしながら、上述のような構成では、冗長であり、表示器の数に応じて回路規模が無駄に増してしまうという欠点がある。従って、最近では、かかる欠点を解消すべく、単一の表示指令制御部及び表示処理制御部等を介して、各表示器に表示すべき各画像を連結的に処理し、表示器の直前でそれらの複数の画像を分割してそれぞれの表示器に送るという構成が一般的となってきている（例えば、特許文献１参照）。
【先行技術文献】
【特許文献】
【０００４】
【特許文献１】特開２０００−００３１６４号公報
【発明の概要】
【発明が解決しようとする課題】
【０００５】
ところで、上述した画像表示処理装置においては、表示までの処理のいずれかの過程において色補正処理が行われることが多いが、従来においては、上述の分割前の画像に対して行うことが一般的であった。しかしながら、各表示器は、固有の表示特性を有しているので、それでは個々の表示器の特性を補正することに対応できない。一方、分割処理の構成においては、分割後の各画像に対して拡大処理を行うことができるものも多い。
【０００６】
図４は、かかる従来の画像表示処理装置の構成を示す図である。同図に示した装置は、画像処理プロセッサ１００において連結構成した画像データＰＤを画像分割処理部２００で分割して、それぞれを４つの同一の液晶表示器３−１〜３−４に表示するという構成を有している。ここで、画像処理プロセッサ１００は、前述のように、色補正処理部１０１を有している。また、画像分割処理部２００は、画像処理プロセッサ１００から送られてきた画像データＰＤを受信する受信処理部２１と、受信処理部２１内の受信バッファ２１１に格納された画像データＰＤを順次読み出してきて、液晶表示器３−１〜３−４のそれぞれに対して振り分ける処理をする画像データ振分け部２２と、分けられた各画像に対して、拡大処理を行う拡大処理部２３−１〜２３−４とを少なくとも有している。
【０００７】
図４に示したような従来における画像表示処理装置では、前述のように、画像に対する色補正を画像処理プロセッサ１００において行っているので、各液晶表示器３−１〜３−４の個々の特性に対応できない。また、図５は、拡大処理部２３−１〜２３−４における拡大処理を示す図であるが、元の画素Ａ，Ｂ，Ｃ，Ｄから補間で得られた画素ａ，ｂ，ｃ，ｄ，ｅは、所望の色となっておらず補正が必要な場合が多いが、その場合、拡大後に補正できなければ意味がない。
【０００８】
本発明は上述のような事情から為されたものであり、本発明の目的は、備わる複数の表示器の個々の特性に対応して色補正を行える画像表示処理装置を提供することにある。
【課題を解決するための手段】
【０００９】
上記目的を達成するため、本発明の画像表示処理装置は、ｎ個の表示器と、そのｎ個の表示器のそれぞれに並列的に表示されるべきｎ個の画像を結合して送信する画像処理プロセッサと、その画像処理プロセッサから送信された画像データを受信し、前記ｎ個の表示器に対応する各画像に分割して各表示器に送る画像分割処理部と、を備える画像表示処理装置であって、前記画像分割処理部は、分割して得られた各画像に対して、各表示器の特性に対応して色補正を行うｎ個の色補正処理部を有することを要旨とする。
【００１０】
ここで、好適には、前記ｎ個の色補正処理部の前段に、分割して得られた各画像に対して拡大処理を行うｎ個の拡大処理部を有する。
【００１１】
また、前記ｎ個の色補正処理部に対する色補正指示情報は、前記画像処理プロセッサと前記画像分割処理部の間でやりとりされる制御信号を介して前記画像分割処理部に入力される。
【００１２】
そのとき更に、前記色補正指示情報は、パーソナルコンピュータ４を介して前記画像分割処理部に入力される。
【００１３】
前記画像は、動画像であることが一般的である。
【発明の効果】
【００１４】
本発明によれば、ｎ個の表示器と、そのｎ個の表示器のそれぞれに並列的に表示されるべきｎ個の画像を結合して送信する画像処理プロセッサと、その画像処理プロセッサから送信された画像データを受信し、前記ｎ個の表示器に対応する各画像に分割して各表示器に送る画像分割処理部と、を備える画像表示処理装置において、分割された各画像に対して色補正を行っているので、表示器の個々の特性に対応して色補正を行える。また、分割された各画像に対して拡大処理を行った後に色補正を行う構成とすれば、拡大処理により歪められた色を個々に補正することができる。
【図面の簡単な説明】
【００１５】
【図１】本発明の画像表示処理装置における一実施形態の構成を示す図である。
【図２】各表示器にそれぞれ画像［１］〜画像［４］を表示する場合を示す図である。
【図３】ｎ個の液晶表示器を有する一般化した装置を説明するための図である。
【図４】従来における画像表示処理装置の構成を示す図である。
【図５】従来における色補正処理の課題を説明するための図である。
【発明を実施するための形態】
【００１６】
以下、図面を参照して、本発明の実施の形態について詳細に説明する。  
図１は、本発明の画像表示処理装置における一実施形態の構成を示す図である。同図に示した装置は、画像処理プロセッサ１において連結構成した画像データＰＤを画像分割処理部２で分割して、それぞれを４つの同一の液晶表示器３−１〜３−４に表示するという構成を有している。また、パーソナルコンピュータ４から色補正指示情報を入力し、その情報を、アダプタ５を通じて制御信号ＣＳを介して画像分割処理部２に提供することが可能となっている。そこで、画像分割処理部２は、画像処理プロセッサ１から送られてきた画像データＰＤを受信する受信処理部２１と、受信処理部２１内の受信バッファ２１１に格納された画像データＰＤを順次読み出してきて、液晶表示器３−１〜３−４のそれぞれに振り分ける処理をする画像データ振分け部２２と、その画像データ振分け部２２から出力された個々の画像に対して拡大処理を行うことが可能な拡大処理部２３−１〜２３−４と、拡大処理部２３−１〜２３−４の各々の後段の備わる色補正処理部２４−１〜２４−４とを少なくとも有している。なお、図示しないが、画像データを圧縮して格納する画像ＲＯＭと上位ＣＰＵとが画像処理プロセッサ１には接続されており、画像処理プロセッサ１は、上位ＣＰＵからの指令に応じて、画像ＲＯＭから画像データを読み出してくるという構成が一般的である。従って、画像処理プロセッサ１は、データ伸長処理機能を有していることが一般的である。
【００１７】
ここで、画像処理プロセッサ１から画像分割処理部２に送られる画像データＰＤの形式としては、例えばＲＧＢやＬＶＤＳ（Low Voltage Differential Signaling）がある。また、画像処理プロセッサ１と画像分割処理部２との間でやり取りされる制御信号ＣＳの規格としては、例えばＩ２Ｃ（Inter-Integrated Circuit）がある。
【００１８】
そこで、図２に示すように、液晶表示器３−１〜３−４に異なる画像［１］〜画像［４］をそれぞれ同時並列的に表示する場合を考える。なお、画像としては静止画でもよいが、典型的には動画である。
【００１９】
そこで、画像処理プロセッサ１が、図示しない上記ＣＰＵからの指令に応じて、図示しない画像ＲＯＭから画像［１］〜画像［４］のデータを読み出してきて、伸長等の処理を施し、各画像を所定の方式で結合した後、送信バッファに格納しつつ画像分割処理部２へ送信する。
【００２０】
画像処理プロセッサ１から送られた各画像［１］〜［４］が結合された画像データは、制御信号ＣＳの元で、画像分割処理部２の受信処理部２１により受信される。一方、パーソナルコンピュータ４に入力された色補正指示情報も、制御信号ＣＳを介して画像分割処理部２に入力される。ここでの色補正指示情報は、液晶表表示器３−１〜３−４の個々に対して特定した情報であり、例えば、各液晶表表示器３−１〜３−４に表示された画像を実際に確認したオペレータがパーソナルコンピュータ４に入力するような情報である。
【００２１】
画像分割処理部２に入力された、各画像［１］〜［４］が結合された画像データは、画像データ振分け部２２において、各画像［１］〜［４］に分割されて、各液晶表示器３−１〜３−４に対応する後段の拡大処理部２３−１〜２３−４に振り分けられ、そこで必要に応じて拡大処理が行われる。一方、画像分割処理部２に入力された色補正指示情報ＣＣは、各色補正処理部２４−１〜２４−４に対して入力される。そこで、拡大処理部２３−１〜２３−４において必要に応じて拡大処理された各画像データは、色補正処理部２４−１〜２４−４において、色補正指示情報ＣＣに応じて補正される。そして、色補正処理部２４−１〜２４−４において色補正指示情報ＣＣに応じて補正された各画像データは、液晶表示器３−１〜３−４に送られて各画像［１］〜［４］として表示される。
【００２２】
なお、図１に示した画像表示処理装置においては、液晶表示器が４つの場合について説明したが、これに限られることはなく、図３に示すように、液晶表示器はｎ個と一般化できる。
【００２３】
以上のように、上述の実施形態によれば、画像処理プロセッサ１が、液晶表示器３−１〜３−ｎのそれぞれに並列的に表示されるべきｎ個の画像を結合して送信し、画像分割処理部２が、その画像処理プロセッサ１から送信された画像データを受信し、ｎ個の液晶表示器３−１〜３−ｎに対応する各画像に分割して各液晶表示器３−１〜３−ｎに送る際に、分割された各画像に対して色補正を行っているので、液晶表示器３−１〜３−ｎの個々の特性に対応して色補正を行える。加えて、分割された各画像に対して拡大処理を行った後に色補正を行っているので、拡大処理により歪められた色を個々に補正することができる。
【産業上の利用可能性】
【００２４】
本発明の画像表示処理装置は、複数の表示器を備えたゲーム機、パチンコ機等の遊技機に採用される。
【符号の説明】
【００２５】
１  画像処理プロセッサ
２  画像分割処理部
２１  受信処理部
２２  画像データ振分け部
２３  拡大処理部
２４  色補正処理部
３−１〜３−ｎ  液晶表示器
４  パーソナルコンピュータ
５  アダプタ
【図１】
2015028570.tif 000003
【図２】
2015028570.tif 000004
【図３】
2015028570.tif 000005
【図４】
2015028570.tif 000006
【図５】
2015028570.tif 000007